(57)【要約】【課題】複数の方向への移動操作によりパラメータを設定する操作の操作性を向上する。【解決手段】表示部２は、複数の方向へ移動可能な操作オブジェクトであって、それぞれ異なる方向に対応付けられた複数のパラメータを設定するための該操作オブジェクトを表示する。操作部３は、該表示部２に表示された操作オブジェクトを移動するための移動操作を入力する。移動操作が開始されたとき、記憶部４は、その移動操作の開始位置を記憶する。処理部５は、移動操作の移動方向が未決定の場合、その移動操作の現在位置と記憶された開始位置とに基づいて、複数のパラメータに対応付けられた方向のいずれか１を、その移動操作の移動方向として決定し（決定処理６）、移動方向が決定した後の移動操作に応じて、該決定した移動方向に対応付けられたパラメータのみを変更する（変更処理７）。【選択図】        図１
2018160188.tif 000002
【特許請求の範囲】
【請求項１】
複数の方向へ移動可能な仮想的な操作オブジェクトであって、それぞれ異なる方向に対応付けられた複数のパラメータを設定するための該操作オブジェクトを、ディスプレイ装置に表示する表示ステップと、
前記操作オブジェクトを移動させる移動操作の開始に応じて、該移動操作の開始位置を、メモリに記憶する記憶ステップと、
前記移動操作の移動方向が未決定の場合、前記記憶された開始位置と該移動操作の現在位置に基づいて、前記複数のパラメータに対応付けられた方向のいずれか１を、この移動操作の移動方向として決定することにより、該操作オブジェクトの移動方向を該決定した方向のみに制限する決定ステップと、
前記移動方向が決定した後の移動操作に応じて、該決定した方向に対応付けられたパラメータのみを変更する変更ステップ
をコンピュータに実行させるパラメータ設定プログラムを記憶した記憶媒体。
【請求項２】
前記決定ステップは、前記複数のパラメータに対応付けられた各方向を前記開始位置に基づいて規定する判定領域内に、前記現在位置が属しているか否かにより、前記移動方向を決定することである請求項１に記載の記憶媒体。
【請求項３】
前記決定ステップは、前記開始位置から前記現在位置までの軌跡に基づいて前記移動方向を決定することである請求項１に記載の記憶媒体。
【請求項４】
前記決定ステップは、更に、前記現在位置が前記開始位置から所定距離以上離れ
た場合に前記移動方向の決定を行うことを含む請求項２又は３に記載の記憶媒体。
【請求項５】
更に、ユーザの指示に応じて、前記複数のパラメータに対応付けられた各方向を示す方向ガイドを、前記ディスプレイ装置に表示するステップを前記コンピュータに実行させるプログラムを記憶した、請求項１乃至４の何れかに記載の記憶媒体。
【請求項６】
更に、前記移動方向が決定したとき、該決定された移動方向を示す画像を、前記ディスプレイ装置に表示するステップを前記コンピュータに実行させるプログラムを記憶した、請求項１乃至５の何れかに記載の記憶媒体。
【請求項７】
複数の方向へ移動可能な仮想的な操作オブジェクトであって、それぞれ異なる方向に対応付けられた複数のパラメータを設定するための該操作オブジェクトを、ディスプレイ装置に表示する表示ステップと、
前記操作オブジェクトの位置を移動させる移動操作の初動方向に基づいて、前記複数のパラメータに対応付けられた方向のいずれか１を、この移動操作の移動方向として決定し、該移動操作の移動方向を前記決定された方向のみに制限する制限ステップと、
前記移動方向が決定した後の移動操作に応じて、該決定した方向に対応付けられたパラメータのみを変更する変更ステップ
をコンピュータに実行させるパラメータ設定プログラムを記憶した記憶媒体。
【請求項８】
複数の方向へ移動可能な仮想的な操作オブジェクトであって、それぞれ異なる方向に対応付けられた複数のパラメータを設定するための該操作オブジェクトを、ディスプレイ装置に表示する表示ステップと、
前記操作オブジェクトを移動させる移動操作の開始に応じて、該移動操作の開始位置を、メモリに記憶する記憶ステップと、
前記移動操作の移動方向が未決定の場合、前記記憶された開始位置と該移動操作の現在位置とに基づいて、前記複数のパラメータに対応付けられた方向のいずれか１を、この移動操作の移動方向として決定することにより、該操作オブジェクトの移動方向を該決定した方向のみに制限する決定ステップと、
前記移動方向が決定した後の移動操作に応じて、該決定した方向に対応付けられたパラメータのみを変更する変更ステップ
を、コンピュータに実行させるためのパラメータ設定プログラム。
【請求項９】
複数の方向へ移動可能な仮想的な操作オブジェクトであって、それぞれ異なる方向に対応付けられた複数のパラメータを設定するための該操作オブジェクトを、ディスプレイ装置に表示する表示ステップと、
前記操作オブジェクトを移動させる移動操作の開始に応じて、該移動操作の開始位置を、メモリに記憶する記憶ステップと、
前記移動操作の移動方向が未決定の場合、前記記憶された開始位置と該移動操作の現在位置とに基づいて、前記複数のパラメータに対応付けられた方向のいずれか１を、この移動操作の移動方向として決定することにより、該操作オブジェクトの移動方向を該決定した方向のみに制限する決定ステップと、
前記移動方向が決定した後の移動操作に応じて、該決定した方向に対応付けられたパラメータのみを変更する変更ステップ
を備えるパラメータ設定方法。
【請求項１０】
複数の方向へ移動可能な仮想的な操作オブジェクトであって、異なる方向に対応付けられた複数のパラメータを設定するための該操作オブジェクトを表示する表示部と、
前記表示部に表示された操作オブジェクトを移動するための移動操作を入力する操作部と、
前記操作部において前記移動操作が開始されたとき、該移動操作の開始位置を記憶する記憶部と、
前記移動操作の現在位置に応じた処理を行う処理部であって、該移動操作の移動方向が未決定の場合、前記記憶された開始位置と該移動操作の現在位置とに基づいて、前記複数のパラメータに対応付けられた方向のいずれか１を、この移動操作の移動方向として決定することにより、該操作オブジェクトの移動方向を該決定した方向のみに制限し、また、前記移動方向が決定した後の移動操作に応じて、該決定した移動方向に対応付けられたパラメータのみを変更する処理部
を備えるパラメータ設定装置。
【発明の詳細な説明】
【技術分野】
【０００１】
この発明は、例えばオーディオミキサなど様々な電子機器においてパラメータを設定するためのパラメータ設定装置、パラメータ設定方法、パラメータ設定プログラム、及び、該プログラムを記憶した記憶媒体に関し、詳しくは、複数の方向への移動操作により各方向に対応付けられたパラメータを設定することに関する。
【背景技術】
【０００２】
従来、オーディオミキサにおいて、タッチパネル式ディスプレイ装置に表示された画面において各種パラメータの設定を行うことが知られる。例えば、音信号の周波数特性を調整するイコライザ（以下、「ＥＱ」と記す）の設定を行うＥＱ画面は、縦軸にゲインを示し、横軸に周波数を示し、特性カーブによりＥＱの周波数特性をグラフ表示する。ユーザ（ミキサのオペレータ）は、タッチパネルに接触した指を移動する操作（「移動操作」という）により、特性カーブ上の操作点を上下方向に移動することでゲインを調整し、また、左右方向に移動することで周波数を調整する（例えば下記特許文献１を参照）。
【０００３】
このように、特性カーブ上の操作点の移動操作によりパラメータを設定する手法は、特性カーブを直接的に操作できるので、ユーザに直感的なパラメータ設定操作を提供できる。しかし、一方で、操作点が上下左右に自由に移動可能であるため、ユーザの意図していないパラメータ変更等の誤操作が起こり易い。例えば、ゲインのみを調整したい場合に、指が左右方向にも動いてしまうと、ゲインのみならず周波数も変更されてしまう。
【０００４】
この点について、従来技術には、ＥＱ画面において、操作点の移動方向を上下方向又は左右方向のどちらかに制限して、周波数又はゲインのどちらか一方のみを変更する機能があった（非特許文献１）。しかし、この従来技術は、移動操作とは別に、ＥＱ画面内で周波数又はゲインを選択する操作や、画面外の物理的キーの操作などによる切り替え操作が必要であり、その切り替え操作がユーザにとって煩わしく感じられることもある。例えば、切り替え操作とパラメータ設定用の移動操作とを頻繁に繰り返す場面では、切り替え操作を行うことがユーザにとってストレスになるだろう。このことは、ＥＱ画面におけるパラメータ設定操作の操作性を損なっていた。
【先行技術文献】
【特許文献】
【０００５】
【特許文献１】特開２０１６‐２０１７２７号公報
【非特許文献】
【０００６】
【非特許文献１】“ＤＩＧＩＴＡＬ  ＭＩＸＩＮＧ  ＣＯＮＳＯＬＥ  ＴＦ５／ＴＦ３／ＴＦ１／ＴＦ  ＲＡＣＫ  Ｖ３．０リファレンスマニュアル”、［online］、２０１６年９月、ヤマハ株式会社［平成２９年１月２９日検索］、インターネット〈URL：http://download.yamaha.com/api/asset/file/?language=en&site=ae.yamaha.com&asset_id=64738〉
【発明の概要】
【発明が解決しようとする課題】
【０００７】
この発明は、上述の点に鑑みてなされたもので、オーディオミキサなど様々な電子機器におけるパラメータ設定操作の操作性を向上することを目的とする。
【課題を解決するための手段】
【０００８】
この発明は、複数の方向へ移動可能な仮想的な操作オブジェクトであって、それぞれ異なる方向に対応付けられた複数のパラメータを設定するための該操作オブジェクトを、ディスプレイ装置に表示する表示ステップと、前記操作オブジェクトを移動させる移動操作の開始に応じて、該移動操作の開始位置を、メモリに記憶する記憶ステップと、前記移動操作の移動方向が未決定の場合、前記記憶された開始位置と該移動操作の現在位置とに基づいて、前記複数のパラメータに対応付けられた方向のいずれか１つを、該移動操作の移動方向として決定することにより、該操作オブジェクトの移動方向を該決定した方向のみに制限する決定ステップと、前記移動方向が決定した後の移動操作に応じて、該決定した方向に対応付けられたパラメータのみを変更する変更ステップをコンピュータに実行させるプログラムを記憶した記憶媒体である。
【０００９】
この発明によれば、複数の方向へ移動可能であり、それぞれ異なる方向に対応付けられた複数のパラメータを設定するための仮想的な操作オブジェクトを移動する移動操作をユーザが開始すると、先ずその開始位置が記憶され、それから、移動操作の現在位置と該記憶した開始位置とに基づいて、複数のパラメータに対応付けられた方向のいずれか１が、この移動操作の移動方向に決定される。これにより、該操作オブジェクトの移動方向が該決定した方向のみに制限される。そして、移動方向を決定した後の移動操作は、実際の動きに関わらず、該決定した移動方向への操作と看做され、該決定した方向に対応付けられたパラメータのみが、変更される。従って、ユーザの意図しないパラメータ変更等の不都合を防ぐことができる。移動方向の決定は、移動操作の初動方向（開始位置から現在位置までの移動方向）に基づいて行うので、ユーザが行う操作は、パラメータの変更を指示する移動操作のみである。従って、移動操作とは別の切り替え操作を要する従来技術と比べて、操作性に優れる。
【発明の効果】
【００１０】
この発明によれば、オーディオミキサなど様々な電子機器におけるパラメータ設定操作の操作性を向上することできる。
【図面の簡単な説明】
【００１１】
【図１】この発明に係る設定装置の概念的構成例を説明するブロック図。
【図２】設定装置を組み込んだ音信号処理装置の電気的ハードウェア構成を示すブロック図。
【図３】パラメータ設定画面の一例であって、パラメトリックイコライザ設定用のＥＱ画面を示す。
【図４】設定画面を表示する処理を示すフローチャート。
【図５】設定画面に対する指の接触の検出に応じた処理を示すフローチャート。
【図６】指の移動の検出に応じた処理を示すフローチャート。
【図７】指を画面から離したことを検出したときの処理を示すフローチャート。
【図８】（ａ）〜（ｃ）は、ＥＱ画面の判定領域の例を示す。
【図９】ＥＱ画面の不感帯領域の例を示す。
【図１０】各パラメータに対応付けられた各方向を示す方向ガイドの表示例を示す。
【図１１】決定された移動方向の表示例を示す。
【図１２】コンプレッサ設定用のコンプレッサ画面の一例を示す。
【図１３】コンプレッサ画面における判定領域の例を示す。
【図１４】ノイズゲート設定用のノイズゲート画面の一例を示す。
【図１５】サラウンドパン設定用のサラウンドパン画面の一例を示す。
【図１６】サラウンドパン画面における判定領域の一例を示す。
【発明を実施するための形態】
【００１２】
以下、添付図面を参照して、この発明の一実施形態について詳細に説明する。
【００１３】
図１は、この発明の一実施形態に係る設定装置１の全体構成例を説明するブロック図である。設定装置１は、表示部２、操作部３、記憶部４及び処理部５を備える。表示部２は、複数の方向へ移動可能な仮想的な操作オブジェクトであって、それぞれ異なる方向に対応付けられた複数のパラメータを設定するための該操作オブジェクトを表示する。操作部３は、該表示部２に表示された操作オブジェクトを移動するための移動操作をユーザが入力するものである。記憶部４には、操作オブジェクトの移動操作の開始位置が記憶される。処理部５は、ユーザによる操作オブジェクトの移動操作に応じて、次の処理を行う。移動操作の移動方向が未決定の場合、処理部５は、その移動操作の現在位置と記憶された開始位置とに基づいて、複数のパラメータに対応付けられた方向のいずれか１を、その移動操作の移動方向として決定する（決定処理６）。これにより、操作オブジェクトの移動方向は該決定した方向のみに制限される。そして、移動方向が決定した後の移動操作に応じて、該決定した移動方向に対応付けられたパラメータのみを変更する（変更処理７）。
【００１４】
なお、当該処理部５の決定処理６は、後述する通り、操作部３における移動操作の現在位置と、メモリ１２に含まれる揮発性メモリやＨＤＤ、ＳＳＤ等の記憶媒体に記憶された開始位置とに基づいてＣＰＵ１１が移動方向を決定するものであるが、この決定処理を行うプロセッサをＣＰＵ１１とは別途用意しても良い。また、処理部５の変更処理７は、操作部３における移動操作に応じて、ＣＰＵ１１がパラメータを変更するものであるが、この変更動作を行うプロセッサを別途用意しても良い。
【００１５】
図１の設定装置１は、例えば、オーディオミキサ等の音信号を扱う音響機器に適用され得る。以下の一実施形態は、設定装置１をオーディオミキサに適用した例について説明する。オーディオミキサ１０は、専らデジタル信号処理により音信号を処理するデジタルミキサ（以下単に「ミキサ」とも言う）とする。
【００１６】
図２は、図１に示す設定装置１を適用したミキサ１０の電気的ハードウェア構成例を示すブロック図である。ミキサ１０は、専用のハードウェア装置により構成されてもよいし、或いは、例えば汎用のパーソナルコンピュータやタブレット端末装置など、音信号処理のプログラムを実行可能なコンピュータ装置により構成されてもよい。
【００１７】
ミキサ１０は、ＣＰＵ（Central Processing Unit、中央処理ユニット）１１、メモリ１２、タッチパネル式ディスプレイ装置（図において「タッチパネル」）１３、操作子１４、オーディオインタフェース（図において「オーディオＩ／Ｆ」）１５、及び、信号処理装置（図において「ＤＳＰ」）１６を含み、各部が通信バス１７により接続される。
【００１８】
ＣＰＵ１１は、メモリ１２に記憶された各種プログラムを実行してミキサ１０の動作を制御する。メモリ１２は、ＲＯＭ（Read Only Memory、リードオンリメモリ）、ＲＡＭ（Random Access Memory、ランダムアクセスメモリ）、ハードディスク（ＨＤＤ）、ソリッドステートドライブ（ＳＤＤ）等を含む。メモリ１２には、前記各種プログラムが記憶されるとともに、ＤＳＰ５の信号処理に使用する各種パラメータの値を含む各種データが記憶される。前記図１の各部２〜７（特に、処理部５の決定処理６と変更処理７）の動作をＣＰＵ１１に実行させるためのプログラムは、メモリ１２に記憶される。また、メモリ１２が記憶部４として使用される。
【００１９】
タッチパネル１３は、ＣＰＵ１１の制御に基づき各種表示を行う表示機構と、画面を指で接触する操作を検出する検出機構とを含む。表示機構は、具体的には、液晶ディスプレイや有機ＥＬディスプレイなどのディスプレイ装置である。検出機構は、画面への接触を検出及び認識できるよう構成される。また、操作子１４は、ミキサ１０の操作パネルに設けられた複数の物理的操作子群である。この実施例において、タッチパネル１３が図１の表示部２及び操作部３を構成する。ユーザ（ミキサ１０のオペレータ）は、タッチパネル１３及び操作子１４を用いて各種操作を行う。
【００２０】
オーディオＩ／Ｆ１５は、ＡＤ変喚器、ＤＡ変喚器、オーディオ入力インタフェース、及び、オーディオ出力インタフェースを含む。ミキサ１０は、オーディオＩ／Ｆ１５を介して、図示しない入力機器から音信号を入力し、また、信号処理済みの音信号を図示しない出力機器へ出力する。
【００２１】
ＤＳＰ１６は、例えばＤＳＰ（Digital Signal Processor）や、ＣＰＵ１１およびメモリ１２に記憶されたソフトウェアにより仮想的に実現された信号処理装置で構成される。ＤＳＰ１６は、信号処理用のプログラムを実行することにより、入力された音信号に対して信号処理を施す。信号処理は、例えば、複数チャンネルの音信号の混合、各ｃｈの音信号のレベル調整、特性制御、各種効果付与等を含む。ＤＳＰ１６の信号処理は、メモリ１２に記憶された各種パラメータの値に基づいて制御される。
【００２２】
なお、ミキサ１０は、例えばコンピュータネットワークに接続するためのネットワークインタフェースなど、図示外のその他の構成部品を備えてもよい。
【００２３】
図２のミキサ１０において、ＤＳＰ１６の信号処理を制御する各種パラメータは、タッチパネル１３に表示される各種の設定画面から設定される。図３は、設定画面の一例であって、イコライザ（ＥＱ）の各種パラメータを設定するイコライザ設定画面（以下、「ＥＱ画面」という）３０を示す。ＥＱは、音信号の周波数特性を調整する効果処理である。図３において、ＥＱ画面３０は、特性カーブ３１によりイコライザの周波数特性をグラフ表示するもので、縦軸にゲイン（図において「Ｇａｉｎ」）を示し、横軸に周波数（図において「Ｆｒｑ」）を示す。特性カーブ３１上には３つの周波数帯域に対応する操作点３２、３３及び３４が備わり、各操作点３２、３３及び３４の座標は、その操作点に対応する帯域の周波数の値（横軸上の位置）とゲインの値（縦軸上の位置）を示す。図４は、ＥＱ画面３０を表示する処理を示すフローチャートである。ＣＰＵ１１は、ユーザによるＥＱ画面表示指示に応じて、タッチパネル１３にＥＱ画面３０を表示する（ステップＳ１００）。該ステップＳ１００において、ＣＰＵ１１は、ＥＱを制御する各種パラメータ（帯域毎の周波数、帯域毎のゲイン、及び、帯域毎の幅）の値をメモリ１２から取得し、取得したパラメータの値に応じて、特性カーブ３１を描画する。
【００２４】
各操作点３２、３３及び３４は、ＥＱ画面３０の平面内を自由に移動可能である。例えば、各操作点３２、３３及び３４は、上下方向及び左右方向に移動可能である。ＥＱ画面３０では、操作点３２、３３又は３４のいずれか１つが常に選択される。ユーザは、選択中の操作点３２、３３又は３４を移動する操作（「移動操作」）により、その操作点に対応する帯域の周波数及びゲインを調整できる。また、ユーザは、非選択状態の操作点３２、３３又は３４を接触することにより、接触した操作点を新たに選択できる。この明細書において、「移動操作」とは、ユーザが画面を指で接触して、その指を画面上で移動する操作（いわゆる「スワイプ操作」）である。１回の移動操作は、指の接触により開始し、その指を画面から離すことで終了する。
【００２５】
例えば、操作点３２が上下方向に移動された場合、ＣＰＵ１１は、移動操作の操作量に応じて、操作点３２に対応するゲインを変更する。また、操作点３２が左右方向に移動された場合、ＣＰＵ１１は、移動操作の操作量に応じて、操作点３２に対応する周波数を変更する。また、例えば、操作点３２が斜め方向に移動された場合、ＣＰＵ１１は、移動操作の操作量に応じて、操作点３２に対応する帯域のゲイン及び周波数の両方を変更する。ゲイン及び／又は周波数の変更に応じて、ＣＰＵ１１は、選択中の操作点３２の表示位置を移動するとともに、特性カーブ３１の形状を変化させる。すなわち、ＥＱ画面３０においては、各操作点３２、３３及び３４が、「複数の方向へ移動可能な仮想的な操作オブジェクトであって、それぞれ異なる方向に対応付けられた複数のパラメータを設定するための操作オブジェクト」に相当する。なお、この明細書において、パラメータの変更は、メモリ１２に記憶されたパラメータの値を変更することを含む。
【００２６】
各操作点３２、３３及び３４は、上下左右に自由に移動可能であるため、ユーザの意図していないパラメータ変更等の誤操作が起こり易い。例えば、操作点３２のゲインのみを調整したい場合に、操作点３２が左右方向にも移動してしまうと、ゲインのみならず周波数も変更されてしまう。
この点、この実施例のミキサ１０は、操作点３２、３３及び３４の移動方向を一方向に制限する機能（「移動制限モード」という）を有している。移動制限モードのオン・オフは、例えばＥＱ画面３０上の切り替えボタン３５で切り替える。このミキサ１０は、通常は移動制限モードをオフして使用されることが想定されており、確実に１つのパラメータを調整したいときなど移動制限が必要なときに、移動制限モードをオンに設定する。ＣＰＵ１１は、切り替えボタン３５への接触に応じて、移動制限モードのオン・オフを切り替える。この発明は、以下に説明するとおり、移動制限モードにおいて、移動操作の初動方向に基づいて移動方向を制限（若しくは決定）する点に特徴がある。
【００２７】
図５、図６、及び、図７は、移動制限モードにおいて、１回の移動操作に応じてＣＰＵ１１が実行する各種処理を示すフローチャートである。図５は、画面３０を指で接触する操作に応じてＣＰＵ１１が実行する処理を示すフローチャートである。ユーザがＥＱ画面３０を指で新たに接触すると、タッチパネル１３の検出機構は、該指で接触された画面上の位置（以下単に「指の位置」という）を検出する。前述の通り、１回の「移動操作」は、画面３０への接触で始まるので、画面３０への新たな接触は「移動操作の開始」と看做せる。また、その指の位置は「移動操作の開始位置」と看做せる。ＣＰＵ１１は、ステップＳ１において、検出された指の位置を、移動操作の開始位置としてメモリ１２に記憶する。指の位置の情報は、例えばＥＱ画面３０上の座標により表される。ステップＳ２において、ＣＰＵ１１は、当該指の接触により開始された移動操作を示す移動操作フラグをオンに設定する。移動操作フラグは、１回の移動操作の継続中、オンになっており、１回の移動操作が終了したときにオフになる。
【００２８】
前記移動操作の開始の後、ユーザは、画面３０上で指の位置を移動する操作、又は、指を画面３０から離す操作を行う。図６は、指の位置の移動に応じてＣＰＵ１１が実行する処理を示すフローチャートである。タッチパネル１３の検出機構は、画面３０に接触した指の位置を、所定の検出周期毎に検出しており、ユーザが画面３０上で指の位置を移動すると、該移動された指の位置を検出する。すなわち、検出周期毎に検出される指の位置は、「移動操作の現在位置」を示す。指の位置（移動操作の現在位置）が変化したとき、ＣＰＵ１１は、図６の処理を実行する。
【００２９】
ステップＳ３において、ＣＰＵ１１は、後述の移動方向決定フラグに基づいて、移動方向が決定しているか否かを判断する。移動方向決定フラグがオフの場合、すなわち、移動方向が未決定の場合（ステップＳ３のＮｏ）、ＣＰＵ１１は、ステップＳ４において、ＮＧフラグがオンかオフかを判定する。ＮＧフラグは、指の位置が非判定領域に入ったこと示すフラグである。ＮＧフラグがオンの場合（ステップＳ４のＹｅｓ）、ＣＰＵ１１は、移動方向の決定を行わずに当該処理を終了する。
【００３０】
ＮＧフラグがオフの場合（ステップＳ４のＮｏ）、ＣＰＵ１１は、ステップＳ５において、指の位置が判定領域４１又は４２に属しているか否かを判定する。判定領域４１、４２は、開始位置から現在位置までの移動方向（初動方向）が、ゲインに対応付けられた上下方向（「ゲイン方向」とも言う）、及び、周波数に対応付けられた左右方向（「周波数方向」とも言う）のいずれに該当するかを判定するための領域である。ＣＰＵ１１は、当該ステップＳ５において、或いは、前記ステップＳ１で開始位置を記憶したときに、記憶された開始位置に基づいて判定領域４１及び４２を設定する。これにより、ＥＱ画面３０上の各位置は、判定領域４１又は４２、若しくは、判定領域４１又は４２の何れでもない非判定領域４３に分類される。図８（ａ）〜（ｃ）は、判定領域の例を示す。判定領域の例を示す各図において、符号４０は開始位置を示し、一点鎖線は判定領域の区切りを示す。
【００３１】
図８（ａ）は、開始位置４０を頂点とする角の範囲により判定領域を規定する例を示す。図８（ａ）の例では、開始位置４０に対して上下方向に広がる判定領域４１は、移動方向をゲイン方向と判定する領域であり、また、開始位置４０に対して左右方向に広がる判定領域４２が、移動方向を周波数方向と判定する領域である。図において、見やすさの観点から、上下方向の判定領域４２は斜線で示した。
【００３２】
図８（ｂ）は、更に、判定領域４１及び４２以外の領域を、非判定領域４３とする例を示す。非判定領域４３は、当該移動操作の移動方向を決定しない領域である。非判定領域４３は、判定領域４１及び４２を狭めて移動方向の判定条件を厳しくし、ユーザの意図に沿わない移動方向の決定を防ぐ。これにより、例えば移動方向が明確でない場合は、移動方向が決定されないようになる。図において、見やすさの観点から、非判定領域４３を「×」印で示した。
【００３３】
また、図８（ｃ）は、判定領域４１，４２の変形例であって、開始位置４０を通る帯状の範囲により判定領域４１，４２を規定する例を示す。図８（ｃ）の例でも、判定領域４１、４２の以外の領域が、非判定領域４３である。
【００３４】
指の位置が判定領域４１又は４２の何れにも属していない場合（ステップＳ５のＮｏ）、ＣＰＵ１１は、指の位置が非判定領域４３に属すると判定し、ステップＳ８において、ＮＧフラグをオンに設定して、処理を終了する。
【００３５】
指の位置が判定領域４１又は４２に属している場合（ステップＳ５のＹｅｓ）、ステップＳ６において、ＣＰＵ１１は、指の位置が前記ステップＳ１で記憶された開始位置から所定距離以上離れたかどうか判定する。指の位置が開始位置から所定距離以上離れていない場合（ステップＳ６のＮｏ）、ＣＰＵ１１は、移動方向を決定せずに処理を終了し、タッチパネル１３の検出機構が指の位置の変化を検出する毎に、ステップＳ３〜Ｓ６の処理を繰り返す。このように、この実施例では、開始位置から所定距離の範囲は、移動方向の決定を猶予する猶予範囲、若しくは、指の移動に関わらず移動方向の決定を行わない不感帯になっている（以下、当該範囲を「不感帯」という）。指の位置が、不感帯に属するうちは、移動方向が決定されず、従ってパラメータの変更は行われない。不感帯の幅は、例えば開始位置から５ｍｍなど、適宜の短い距離に設定される。
【００３６】
指の位置が開始位置から所定距離以上離れている場合（ステップＳ６のＹｅｓ）、ＣＰＵ１１は、ステップＳ７において、ゲイン方向、又は、周波数方向を、この移動操作の移動方向として決定する。すなわち、前記ステップＳ５において指の位置が判定領域４１に属しているものと判定した場合、ＣＰＵ１１は、該ステップＳ７において、この移動操作の移動方向をゲイン方向に決定する。また、前記ステップＳ５において指の位置が判定領域４２に属しているものと判定した場合、ＣＰＵ１１は、該ステップＳ７において、この移動操作の移動方向を周波数方向に決定する。ＣＰＵ１１は、該ステップＳ７において、移動方向が決定済みであることを示す移動方向決定フラグをオンに設定し、且つ、決定した移動方向をメモリ２２に記憶して、処理を終了する。判定領域４１、４２が或る程度の幅を持つので、移動操作の軌跡が、多少斜めに傾いていたり、或いは、移動操作の軌跡が多少揺らいだりしているなど、パラメータに対応付けられた方向に厳密に一致していなくても、ＣＰＵ１１は、その移動操作の移動方向を決定できる。従って、移動操作の揺らぎやブレ等の影響を受けずに、ユーザの意図に即した移動方向の決定を行うことができる。
【００３７】
前記ステップＳ７により移動方向が決定された後は、タッチパネル１３の検出機構が指の位置の変化を検出する毎に、ＣＰＵ１１は、前記ステップＳ３をＹｅｓに分岐し、ステップＳ９において、前記決定された移動方向に対応するパラメータの値を、当該移動操作の操作量（例えば移動距離）に応じて変更する（ステップＳ９）。言い換えれば、前記ステップＳ７で移動方向を決定することにより、選択中の操作点の移動方向が、該決定された移動方向のみに制限される。また、ＣＰＵ１１は、前記ステップＳ９により変更されたパラメータの値に基づいて、ＥＱ画面３０の表示を更新する、すなわち、操作点３２、３３又は３４を移動し、それに伴い特性カーブ３１の形状を変更する（ステップＳ１０）。
【００３８】
一例として、ＣＰＵ１１は、移動方向が決定された後の移動操作を、実際の動きに関わらず、該決定された移動方向への移動操作と看做し、該決定された移動方向に対応付けられたパラメータのみを変更する。例えば、移動方向がゲイン方向と決定された後は、ＣＰＵ１１は、右方向への移動操作をゲインの増として検出し、左方向への移動操作をゲインの減として検出してよい。別の例として、ＣＰＵ１１は、移動方向が決定された後は、該決定された方向以外の移動操作を無視する。例えば、移動方向がゲイン方向に決定された後に、指の位置が左右方向に移動した場合、その左右方向への移動操作は無視され、ゲインも周波数も変更されない。また、移動操作が斜めに動いた場合、ＣＰＵ１１は、その移動操作のうち上下方向の成分のみに基づいてゲインを変更する。図６のステップＳ３〜Ｓ１０の処理をＣＰＵ１１が実行することが、図１の処理部５に相当し、特にステップＳ５及びＳ７をＣＰＵ１１が実行することが決定処理６に、また、ステップＳ９をＣＰＵ１１が実行することが変更処理７に相当する。
【００３９】
また、図７は、指を離す操作に応じた処理のフローチャートを示す。タッチパネル１３の検出機構により、画面３０から指を離す操作が検出されたとき、ＣＰＵ１１は、図７の処理を開始する。ステップＳ１１において、ＣＰＵ１１は、ＮＧフラグ、移動操作フラグ、及び、移動方向決定フラグを、それぞれオフに設定し、処理を終える。これにより、１回の移動操作が終了する。１回の移動操作が終了した後は、移動方向の制限（移動方向の決定）も解除される。別の例として、ＣＰＵ１１は、前記ステップＳ１１では、移動方向の制限を解除せず（つまり移動方向決定フラグをオフにせず）、１回の移動操作が終了した後も、移動方向の制限を継続してもよい。この場合、ユーザが、制限解除を指示する操作を行ったときに、ＣＰＵ１１は、移動方向の制限を解除（移動方向決定フラグをオフに設定）する。制御解除を指示する操作は、例えば選択中の操作点３２の長押し操作などであってよい。
【００４０】
上述した移動制限モードにおける「１回の移動操作」に応じた処理をまとめると、ユーザは、ゲインに対応付けられた上下方向、又は、周波数に対応付けられた左右方向への移動操作を行うだけで、ゲイン方向又は周波数方向の何れかが、その移動操作の移動方向として決定され、移動操作の移動方向が決定された方向のみに制限される。そして、該移動方向が決定した後の移動操作に応じて、該決定された移動方向に対応付けられたパラメータのみが変更される。従って、ユーザの意図しないパラメータ変更等の不都合を防ぎ、１つのパラメータを確実に設定できる。ユーザが行う操作は、所望のパラメータに対応付けられた方向への移動操作だけであるため、移動操作とは別の切り替え操作を要する従来技術と比べて、操作性に優れる。
また、前記ステップＳ６の判断により、移動方向の決定を行う条件として、指の位置が開始位置から所定距離以上動くことの必要性が加わる。これにより、ユーザの操作意図を適切に反映した、確実な移動方向の決定を行うことができる。
また、非判定領域４３を設けることにより移動方向の決定条件がより厳しくなっている（前記ステップＳ５，Ｓ８）。移動方向が未決定のうちに（前記ステップＳ３のＮｏ）、指の位置が非判定領域４３に入り（前記ステップＳ５のＮｏ）、ＮＧフラグがオンに設定（前記ステップＳ８）された場合、ＣＰＵ１１は、当該移動操作の継続中は常に、前記ステップＳ４をＹｅｓに分岐して処理を終了する。従って、ＮＧフラグがオンに設定された後に指の位置がどこに移動されたとしても、今回の移動操作では移動方向の決定を行わず、従って、パラメータの変更も行わない。これにより、誤操作などによるユーザの意図に反した移動方向の決定を防ぎ、パラメータ設定の安全性を高めることができる。なお、このＮＧフラグによる処置は、１回の移動操作の終了に伴い解除される（前記ステップＳ１１）。
【００４１】
別の実施形態において、不感帯は開始位置からの距離ではなく、開始位置を中心とする領域（「不感帯領域」と言う）により規定される。この場合、ＣＰＵ１１は、前記ステップＳ６において、指の位置が不感帯領域内に属するか否かを判定する。図９は不感帯領域の一例であって、（ａ）は図８（ｂ）のように開始位置４０を頂点とする角により判定領域４１、４２及び非判定領域４３が規定される例、また、（ｂ）は、図８（ｃ）のように開始位置４０を通る帯状領域により判定領域４１、４２及び非判定領域４３が規定される例を示す。図９（ａ）、（ｂ）いずれにおいても、開始位置４０を中心とする略円状の所定範囲が不感帯領域４４となっている。この場合、指の位置が不感帯領域４４に属するうちは、ＣＰＵ１１は、前記ステップＳ６をＮｏに分岐し、指の位置が不感帯領域４４を抜けると、ＣＰＵ１１は、前記ステップＳ６をＹｅｓに分岐する。
【００４２】
また、別の実施形態において、ＥＱ画面３０には、各パラメータに対応付けられた各方向を示す方向ガイド５０が表示されてよい。ＣＰＵ１１は、ユーザに指示に応じて、タッチパネル１３のＥＱ画面３０上に方向ガイド５０を表示する。ＣＰＵ１１は、例えば、図示外の方向ガイド表示指示画像の操作を、方向ガイド５０の表示指示として検出してよいし、別の例として、移動制限モードのオンを方向ガイド５０の表示指示として検出してもよい。別の例として、方向ガイド５０は、初期設定でＥＱ画面３０に表示されてよい。図１０は、方向ガイド５０の表示例を示す。図１０の例では、方向ガイド５０は、選択中の操作点３２を中心に、ゲインに対応付けられた上下方向と、周波数に対応付けられた左右方向を矢印で表示する。別の例として、方向ガイド５０は、画面３０上に接触された指の位置を中心に表示されてよい。別の例として、方向ガイド５０は、選択中の操作点や指の位置とは無関係に、ＥＱ画面３０内の所定の位置に表示されてよい。また、方向ガイド５０は、矢印画像に限らず、方向を示す画像であればどのような形状でもよい。
【００４３】
また、別の実施形態において、ＣＰＵ１１は、前記ステップＳ７で決定した移動方向を画像により表示してよい。すなわち、前記ステップＳ７において、ＣＰＵ１１は、更に、決定した移動方向を示す画像を、タッチパネル１３のＥＱ画面３０内に表示する。図１１は、決定した移動方向を示す画像の一例であって、決定した移動方向を示す矢印５１は、選択中の操作点３２に対応付けて表示される例を示す。別の例として、決定した移動方向を示す矢印５１は、画面３０上に接触した指の位置に対応付けて表示されてもよい。また、別の例として、決定した移動方向を示す矢印５１は、選択中の操作点とは無関係に、ＥＱ画面３０の適宜の位置に表示されてもよい。また、決定した移動方向を示す画像は、矢印に限らず、方向を示す画像であればどのようなものでもよい。
【００４４】
別の実施形態において、前記ステップＳ１００で表示されるパラメータ設定画面は、コンプレッサの各種パラメータを設定するコンプレッサ画面６０である。コンプレッサは、スレッショルド以上の音信号の音量をレシオに応じた割合で圧縮して、音量圧縮後の音信号を出力し、スレッショルド以下の音信号をそのままの音量で出力する、効果処理である。図１２のコンプレッサ画面６０は、横軸に音信号の入力レベルを示し、縦軸に音信号の出力レベルを示し、特性カーブ６１によりコンプレッサの入出力特性をグラフ表示する。操作点６２は上下方向及び左右方向に移動可能であり、操作点６２の左右方向の移動によりスレッショルドが変化し、また、操作点６２の上下方向の移動によりゲインが変化する。また、レシオに応じて、特性カーブ６１の操作点６２よりも右側部分の傾きが変化する。なお、コンプレッサ画面６０には、また、スレッショルド、レシオ、アウトゲインのそれぞれを調整するためのノブ型操作子画像も設けられている。
【００４５】
図１３は、コンプレッサ画面６０における移動方向の判定領域の一例を示す。図１３において、開始位置４０を頂点とする角の範囲により判定領域６３、６４及び６５を規定する例を示す。判定領域６３は、移動方向をアウトゲインに対応付けられたアウトゲイン方向と判定する領域であり、判定領域６４は、移動方向をスレッショルドに対応付けられたスレッショルド方向と判定する領域であり、また、判定領域６５は移動操作をレシオに対応付けられたレシオ方向と判定する領域である。コンプレッサ画面６０において、移動制限モードで移動操作が行われた場合、ＣＰＵ１１は、前記ステップＳ３〜Ｓ８により移動方向を決定した後（前記ステップＳ３のＹｅｓ）、移動操作がアウトゲイン方向の場合、決定後の移動操作に応じてアウトゲインを変更し、また、移動操作がスレッショルド方向の場合、決定後の移動操作に応じてスレッショルドを変更し、また、移動操作がレシオ方向の場合、決定後の移動操作に応じてレシオを変更する（前記ステップＳ９及びＳ１０）。
【００４６】
別の実施形態において、前記ステップＳ１００で表示されるパラメータ設定画面は、ノイズゲートの各種パラメータを設定するノイズゲート画面７０である。ノイズゲートは、スレッショルド以上の音信号をそのままの音量で出力し、スレッショルド以下の音信号の音量をレンジに応じて下げて、音量を下げた音信号を出力するという機能を持つ効果処理である。図１４のノイズゲート画面７０は、横軸に音信号の入力レベルを示し、縦軸に音信号の出力レベルを示し、特性カーブ７１によりノイズゲートの入出力特性を示す。特性カーブ７１上の操作点７２は上下方向及び左右方向に移動可能であり、操作点７２の左右方向への移動操作に応じて、スレッショルドの値が変化し、また、操作点７２の上下方向への移動操作に応じて、レンジの値が変化する。また、スレッショルド、レシオのそれぞれを調整する操作子画像も設けられている。操作点７２は上下方向及び左右方向に移動可能であり、操作点７２の左右方向の移動によりスレッショルドが変化し、また、その上下方向の移動によりレンジが変化する。
【００４７】
ノイズゲート画面７０の判定領域は、例えば、図８を参照して説明したＥＱ画面３０の判定領域４１、４２と同様な操作点７２に対して上下方向に広がる領域と操作点７２に対して左右方向に広がる領域であり、前者が移動方向をレンジに対応付けられたレンジ方向と判定する判定領域であり、後者が移動方向をスレッショルドに対応付けられたスレッショルド方向と判定する判定領域であってよく、その図示を省略する。ノイズゲート画面７０において移動制限モードで移動操作が行われた場合、ＣＰＵ１１は、前記ステップＳ３〜Ｓ８により移動方向を決定した後は（前記ステップＳ３のＹｅｓ）、該決定した移動方向がレンジ方向の場合、該決定後の移動操作に応じてレンジを変更し、また、移動該決定した移動方向がスレッショルド方向の場合、該決定後の移動操作に応じてスレッショルドを変更する（前記ステップＳ９及びＳ１０）。
【００４８】
別の実施形態において、前記ステップＳ１００で表示されるパラメータ設定画面は、５．１チャンネルサラウンドの定位を設定するサラウンドパン画面である。図１５は、サラウンドパン画面８０の一例を示す。サラウンドパンは、フロント左チャンネル（Ｌ）、フロント右チャンネル（Ｒ）、フロント中央チャンネル（Ｃ）、サラウンド左チャンネル（Ｌｓ）、サラウンド右チャンネル（Ｒｓ）の各チャンネルのレベルに応じて、サラウンド環境の音像定位を設定する。サラウンドパン画面８０には、サラウンド環境を示す円が描かれており、円の周囲には、Ｌ、Ｒ、Ｃ、Ｌｓ及びＲｓの各チャンネルのスピーカを示す画像が配置されており、円の中心がリスニングポイント８１を示し、定位点８２がリスニングポイント８１に対する定位を示す。定位点８２の位置は、リスニングポイント８１を中心とする円座標上の角度θ及び半径ｒにより表される。サラウンドパン画面８０には、また、Ｌ、Ｒ、Ｃ、Ｌｓ及びＲｓの各チャンネルのレベル、角度θ及び半径ｒを個別に調整するスライダー型の操作子画像も設けられている。角度θ及び半径ｒと、Ｌ、Ｒ、Ｃ、Ｌｓ及びＲｓの各チャンネルのレベルはリンクしており、角度θ又は半径ｒが変更されるとＬ、Ｒ、Ｃ、Ｌｓ及びＲｓの各チャンネルのレベルが変更され、また、Ｌ、Ｒ、Ｃ、Ｌｓ又はＲｓのレベルが変更されると、角度θ及び半径ｒが変更される。
【００４９】
ユーザは、定位点８２を上下方向及び左右方向に自由に移動可能であり、円周方向（すなわち、リスニングポイント６１を中心として定位点８２を通る円周の接線方向）への移動操作により角度θが変化し、また、半径方向への移動操作により半径ｒが変化し、それによりサラウンドパンの定位を調整できる。図１６（ａ）は、サラウンドパン画面８０の判定領域の一例として、移動操作の開始位置（具体的には定位点８２の位置）を頂点とする或る角度の範囲で判定領域８３、８４を規定する例を示す。この場合、判定領域８３は、移動操作を角度θに対応付けられた角度方向と判定する領域であり、判定領域８４は移動方向を半径ｒに対応付けられた半径方向と判定する領域である。図１６（ｂ）は、判定領域８３，８４の別の例として、移動操作の開始位置を通る帯状の範囲で判定領域８３、８４を規定する例を示す。この場合、判定領域８３は、リスニングポイント６１を中心とし、定位点８２を通る円又は円弧状の帯からなり、判定領域８４は、該半径方向に延びる直線状の帯からなる。図においては、見やすさの点から、判定領域８４は斜線で示した。このサラウンドパン画面８０において移動制限モードで移動操作が行われた場合、ＣＰＵ１１は、前記ステップＳ３〜Ｓ８により移動方向を決定した後（前記ステップＳ３のＹｅｓ）は、決定した移動方向が角度方向の場合、該決定後の移動操作に応じて角度θを変更し、また、決定した移動方向が半径方向の場合、該決定後の移動操作に応じて半径ｒを変更する（前記ステップＳ９及びＳ１０）。
【００５０】
以上、この発明の一実施形態を説明したが、この発明は上記実施形態に限定されるものではなく、特許請求の範囲、及び明細書と図面に記載された技術的思想の範囲内において種々の変形が可能である。
【００５１】
なお、前記の各実施形態は、例えば上下方向にゲインを対応付け、左右方向に周波数を対応付ける、という具合に、１つの方向に１つのパラメータを対応付ける例を示したが、これに限らず、例えば上下方向にゲインと帯域幅（Ｑ）を対応付けるという具合に、１つの方向に複数のパラメータを対応付ける構成であっても良い。その場合、移動操作に応じて、当該方向に対応付けられた複数のパラメータの値が変化する。また、前記の各パラメータ設定画面において各方向に対応付けられたパラメータ種類は一例であって、方向とパラメータ種類の組み合わせは、前記各例に示した組み合わせ例示に限定されない。
【００５２】
別の実施形態において、判定領域は、移動操作の移動方向が前記複数のパラメータに対応付けられた方向のいずれに該当するかを判定できるものであれば、前記図８等に例示した形状に限らない。例えば、判定領域の区切りは線形に限らず非線形であってもよい。
【００５３】
また、別の実施形態において、判定領域は、例えば対応付けられたパラメータの種類や、対応する操作オブジェクトの種類に応じて異なるパターンに形成されてもよい。例えば、判定領域は、対応付けられたパラメータの種類に応じて異なる幅に形成されてよい。
【００５４】
また、判定領域は、前記図８等に例示したような移動操作の開始位置を基準に設定された範囲に限らない。例えば、判定領域は、ＥＱ画面３０の操作点３２、３３、３４や、サラウンドパン画面８０の定位点８２などの操作オブジェクトを基準に設定された範囲、具体的には、操作オブジェクトを頂点とする角の範囲や、或いは、操作オブジェクトを通る帯状の範囲であってもよい。判定領域が操作オブジェクトを基準に設定される場合、各判定領域の幅や角度などを、操作オブジェクトの位置に応じて変化させてよい。
【００５５】
また、別の実施形態において、前記ステップＳ１において、ＣＰＵ１１は、実際に移動操作の開始時の指の位置ではなく、選択中の操作オブジェクトの位置を、移動操作の開始位置としてメモリ１２に記憶してもよい。この場合、判定領域は操作オブジェクトを基準に設定されることになる。
【００５６】
別の実施形態において、前記ステップＳ５で参照する判定領域は、開始位置にのみ基づいて設定されるのではなく、対応するパラメータの値に応じて変化してもよい。例えば、図１３に示すコンプレッサ画面の判定領域のうち、レシオ方向に対応付けられた判定領域６５はレシオの値に応じた角度に設定されてよい。具体的には、レシオの値に応じて、特性カーブ６１の傾き（操作点６２よりも右側部分の傾き）が変化するので、ＣＰＵ１１は、特定カーブ６１の傾きに応じて、判定領域６５の範囲を設定する。
【００５７】
また、別の実施形態において、前記ステップＳ３〜Ｓ８による移動方向の決定は、開始位置から現在位置までの移動操作の軌跡に基づき行ってもよい。例えば、移動操作の開始位置以後、タッチパネル１３の検出機構が指の位置の移動を検出する毎に、ＣＰＵ１１は、検出された各指の位置をメモリ１２に記憶しておく。そして、ＣＰＵ１１は、メモリ１２に記憶された過去数点の位置（例えば開始位置以後の数点の指の位置とか、或いは、現在位置から過去数点の指に位置など）から移動操作の軌跡の傾きを決定し、該決定した傾きが、複数のパラメータに対応付けられた方向のいずれに該当するかを決定する（前記ステップＳ３〜Ｓ８の変形例）。この場合、ＣＰＵ１１は、前記ステップＳ５において、例えば、メモリ１２に記憶された過去数点の位置と現在の指の位置との差分に基づいて、現在位置が移動操作の軌跡に対して特異な値かどうかを調べ、現在の指の位置が特異な値である場合に、該ステップＳ５をＮｏに分岐して、前記ステップＳ８においてＮＧフラグをオンに設定してよい。
【００５８】
また、別の実施形態において設定装置１は、表示部２が操作入力機能を持たないディスプレイからなり、操作部３が例えばタッチパッドなど、指の接触により複数方向への移動操作を入力可能な入力装置からなり、操作部３への接触により操作オブジェクトの移動操作を入力するように構成されてもよい。また、操作部３は、複数方向への移動操作を入力可能な入力装置であれば、指の接触による入力装置に限らず、マウス、トラックボールなどの適宜のポインティングデバイスであってもよい。更に、操作部３は、ユーザの手の動きを検出するように構成されたモーションキャプチャ装置のような、非接触式で移動操作を検出する装置であってもよい。手の動きを検出する具体的な方法としては、赤外線等を手に照射することにより動きを検出することや、手を初めとする身体に加速度を検出できる装置を取り付けることにより動きを検出することが考えられる。この場合、ステップＳ１の移動操作の開始位置は、モーションキャプチャ装置により検出されたユーザの手の動きにより特定される。また、ステップＳ３〜Ｓ８の移動方向の決定は、モーションキャプチャ装置により検出されたユーザの手の動きにより特定される現在位置と開始位置とに基づいて行う。また、表示部２は、例えばヘッドマウントディスプレイで構成されてもよい。
【００５９】
更に、別の実施形態において、設定装置１は、複数の方向への移動操作が可能な操作オブジェクトを表示する表示部２を具備していなくてもよい。その場合、設定装置１は、複数の方向への移動操作が可能な操作部であって、それぞれ異なる方向に対応付けられた複数のパラメータを設定するための操作部（図１の符号３に相当）と、前記操作部における移動操作の開始に応じて、該移動操作の開始位置を記憶する記憶部（図１の符号４に相当）と、移動操作の現在位置に応じた処理を行う処理部（図１の符号５に相当）を備え、処理部は、前記移動操作の移動方向が未決定の場合、前記移動操作の現在位置と前記開始位置に基づいて、該開始位置から該現在位置への移動方向が、前記複数のパラメータに対応付けられた方向のいずれに該当するかを決定し、移動操作の移動方向を決定した方向のみに制限する（図１の符号６）。そして、前記移動方向が決定した後は、処理部は、前記移動操作に応じて、該決定した移動方向に対応付けられたパラメータを変更する（図１の符号７）。
【００６０】
また、設定装置１は、ミキサ１０に限らず、レコーダ、アンプ、プロセッサ等の音処理装置に適用できる。また、設定装置１は、ミキサ１０等の音処理装置のパラメータを設定するものに限らず、例えば照明の明るさや色合いを設定する装置など、複数の方向へ移動可能な操作オブジェクトを用いて、それぞれ異なる方向に対応付けられたパラメータを設定する設定装置であれば、どのような種類のパラメータを設定する装置であってもよい。
【００６１】
また、本発明の設定装置１は、パーソナルコンピュータ上で実行される、Ｃｕｂａｓｅ（登録商標）、ＰｒｏＴｏｏｌｓ（登録商標）等のＤＡＷ（デジタル・オーディオ・ワークステーション）ソフトウェアアプリケーションや、或いは、ビデオ編集ソフトウェアアプリケーションに適用され得る。
【００６２】
また、この発明の設定装置１は、図１に示す各部２〜７（特に符号６と符号７）の動作を実行するように構成された専用ハードウェア装置（集積回路等）からなっていてもよい。
【００６３】
また、この発明は、上記の設定装置１の発明として構成及び実施しうるのみならず、図１に示す各部２〜７（特に符号６と符号７）の動作を行う各ステップをコンピュータに実行させるプログラムを記憶した記憶媒体の発明、該プログラムの発明、及び、前記の各ステップを備える方法の発明として、構成及び実施されてもよい。その場合、また、ＣＰＵ１１による前記ステップＳ１００が「表示ステップ」に相当し、ＣＰＵ１１による前記ステップＳ１が「記憶ステップ」に相当し、ＣＰＵ１１によるステップＳ５、Ｓ８が「決定ステップ」に相当し、また、ＣＰＵ１１によるステップＳ９が「変更ステップ」に相当する。
【符号の説明】
【００６４】
１  設定装置、２  表示部、３  操作部、５  処理部、６  決定処理、７  変更処理、１０  ミキサ、１１  ＣＰＵ、１２  メモリ、１３  タッチパネル、１４  操作子、１５  オーディオインタフェース、１６  ＤＳＰ、３０  ＥＱ画面、３１  特性カーブ、３２  操作点
【図１】
2018160188.tif 000003
【図２】
2018160188.tif 000004
【図３】
2018160188.tif 000005
【図４】
2018160188.tif 000006
【図５】
2018160188.tif 000007
【図６】
2018160188.tif 000008
【図７】
2018160188.tif 000009
【図８】
2018160188.tif 000010
【図９】
2018160188.tif 000011
【図１０】
2018160188.tif 000012
【図１１】
2018160188.tif 000013
【図１２】
2018160188.tif 000014
【図１３】
2018160188.tif 000015
【図１４】
2018160188.tif 000016
【図１５】
2018160188.tif 000017
【図１６】
2018160188.tif 000018